(57)【要約】【課題】キャビネットの構成部材の加工コストを低減しつつ蹴込み空間の機能を得る調理台家具を提供する。【解決手段】調理台家具Ａは、キャビネット１０Ａ，１０Ｂ，１０Ｃの側面視が矩形状とされ、該キャビネットの前面収納開口を覆う扉体２４の床面直上の端部に、下方に向かうに従って後退する断面形状とされた後退部２６を備えている。【選択図】図１
2011147625.tif 000002
【特許請求の範囲】
【請求項１】
キャビネットの側面視が矩形状とされ、該キャビネットの前面収納開口を覆う扉体の床面直上の端部に、下方に向かうに従って後退する断面形状とされた後退部を備えていることを特徴とする調理台家具。
【請求項２】
請求項１において、
前記キャビネットの上面を覆うカウンターの前端を、前記扉体の前面よりも前方に突出させ、このカウンターの突出分に相当する当該調理台家具の下端部前方空間と、前記後退部とによって、当該調理台家具の下端部前方に蹴込み空間を形成したことを特徴とする調理台家具。
【請求項３】
請求項２において、
当該調理台家具の前面は、上下に複数段に区画されており、
最上段部の前面は、下段部の前面よりも前方に位置し、かつ、前記カウンターの前端と前後位置を概ね一致させていることを特徴とする調理台家具。
【請求項４】
請求項３において、
前記最上段部の直下に配された扉体の上端部に設けられた把手は、該最上段部の前面と前後位置を概ね一致させた手掛部を備えていることを特徴とする調理台家具。
【請求項５】
請求項２乃至４のいずれか１項において、
前記前面収納開口を覆う扉体の把手の前端は、前記カウンターの前端よりも後方位置とされていることを特徴とする調理台家具。
【請求項６】
請求項１乃至５のいずれか１項において、
前記後退部の少なくとも下端部は、弾性材料で形成されていることを特徴とする調理台家具。
【発明の詳細な説明】
【技術分野】
【０００１】
本発明は、調理台家具に関する。
【背景技術】
【０００２】
従来の調理台家具では、箱状のキャビネットの側面を構成する側板の前方下端に切欠を形成し、この切欠の前面と家具の扉表面などの前面との間の寸法によって蹴込み空間を形成していた（例えば、下記特許文献１参照）。
【先行技術文献】
【特許文献】
【０００３】
【特許文献１】特許第３５０１０６１号公報（図４参照）
【発明の概要】
【発明が解決しようとする課題】
【０００４】
しかしながら、上記特許文献１に記載されたような調理台家具では、側板の前方下端に蹴込み空間を形成するための切欠を形成する必要があるため、加工コストが高くなるという問題があった。
【０００５】
本発明は、上記実情に鑑みなされたものであり、キャビネットの構成部材の加工コストを低減しつつ蹴込み空間の機能を得る調理台家具を提供することを目的としている。
【課題を解決するための手段】
【０００６】
前記目的を達成するために、本発明に係る調理台家具は、キャビネットの側面視が矩形状とされ、該キャビネットの前面収納開口を覆う扉体の床面直上の端部に、下方に向かうに従って後退する断面形状とされた後退部を備えていることを特徴とする。
【０００７】
上記構成とされた調理台家具は、従来の側板の前方下端の切欠加工により形成された蹴込み空間に替えて、扉体の後退部によって蹴込み空間の一部を構成し、キャビネットの側面つまり側板の前方下端に切欠加工を設けることなく、矩形状としている。従って、側板部材の加工を簡素化し、加工コストを低減することができる。
【０００８】
本発明においては、前記キャビネットの上面を覆うカウンターの前端を、前記扉体の前面よりも前方に突出させ、このカウンターの突出分に相当する当該調理台家具の下端部前方空間と、前記後退部とによって、当該調理台家具の下端部前方に蹴込み空間を形成するようにしてもよい。
このような構成とすれば、上記扉体の端部に設けられた後退部により形成される蹴込み空間に加えて、カウンターの突出分に相当する当該調理台家具の下端部前方空間、つまり、カウンターの前端から上記扉体の前面までの空間で、当該調理台家具の下端部前方空間を、蹴込み空間として利用することができる。
【０００９】
また、本発明においては、当該調理台家具の前面を、上下に複数段に区画し、最上段部の前面を、下段部の前面よりも前方に位置させ、かつ、前記カウンターの前端と前後位置を概ね一致させてもよい。この場合、調理台家具の収納部を複数に区画し、これら複数の収納部に対応させた扉体によって、当該調理台家具の前面を、上下に複数段に区画するようにしてもよい。
このような構成とすれば、カウンターの前端を前方に突出させることで上記蹴込み空間を確保しつつも、最上段部に設けられるビルトイン機器や、最上段部の扉体の操作性ならびに外観性を向上させることができる。
【００１０】
また、本発明においては、前記最上段部の直下に配された扉体の上端部に設けられた把手を、該最上段部の前面と前後位置を概ね一致させた手掛部を備えたものとしてもよい。
このような構成とすれば、最上段部のビルトイン機器や扉体の操作性を向上させつつも、その直下の扉体の操作性を向上させることができる。
【００１１】
また、本発明においては、前記前面収納開口を覆う扉体の把手の前端を、前記カウンターの前端よりも後方に位置させてもよい。
このような構成とすれば、前記カウンターに向かって作業をする際に、把手が邪魔にならない。
【００１２】
また、本発明においては、前記後退部の少なくとも下端部を、弾性材料で形成してもよい。
このような構成とすれば、足先や掃除器具等が扉体の床面直上の端部に衝突した際に衝撃を低減することができる。
【発明の効果】
【００１３】
本発明に係る調理台家具は、上述のような構成としたことで、キャビネットの構成部材の加工コストを低減することができる。
【図面の簡単な説明】
【００１４】
【図１】本発明の一実施形態に係る調理台家具を模式的に示す概略斜視図である。
【図２】図１におけるＸ１−Ｘ１線矢視に対応させた一部破断概略縦断面図である。
【図３】図１におけるＸ２−Ｘ２線矢視に対応させた概略縦断面図である。
【図４】図２におけるＹ部に対応させた概略拡大図である。
【図５】本発明の他の実施形態に係る調理台家具を模式的に示し、図２に対応させた概略縦断面図である。
【発明を実施するための形態】
【００１５】
以下に本発明の実施の形態について、図面に基づいて説明する。
図１〜図４は、第１実施形態に係る調理台家具を示している。
なお、以下の各実施形態において指す調理台家具の前後方向は、調理台家具の正面（引き出し操作の可能な側）に対面した使用者側を調理台家具の前方、その逆側を後方とし、その前後方向に直交する方向を左右方向として説明する。
また、以下の各実施形態において指す前後方向の位置関係は、調理台家具が備える扉体を閉止させた状態を基準として説明する。
【００１６】
本実施形態に係る調理台家具Ａは、図１に示すように、調理台の収納部を構成する複数の家具本体１Ａ，１Ｂ，１Ｃと、これら複数の家具本体１Ａ，１Ｂ，１Ｃの上面を覆う調理台天板としてのカウンター３０とを備えている。カウンター３０には、水槽（シンク）２ａ及び加熱機器としてのコンロ３ａが組み込まれている。
本実施形態では、調理台家具Ａとして、流し台部２と、作業台部４と、コンロ付調理台部３とを備えた厨房装置を例示している。
また、調理台家具Ａの各家具本体１Ａ，１Ｂ，１Ｃは、上下に複数段に区画されており、図例では、上段部５と、中段部６と、下段部７とに区画されている。
【００１７】
カウンター３０は、平面視にて略矩形状で、平板状に形成されており、図１及び図２に示すように、その前端部には、前垂れ部３１が左右方向に連続して一体的に形成されている。シンク２ａは、カウンター３０に開設されたシンク開口に嵌め込まれ、接着等によって固定されている。コンロ３ａは、カウンター３０に開設されたコンロ開口に、嵌め込み設置（いわゆるビルトイン）されている。
【００１８】
複数の家具本体１Ａ，１Ｂ，１Ｃは、本実施形態では、図１に示すように、流し台部２の家具本体１Ａと、作業台部４の家具本体１Ｃと、コンロ付調理台部３の家具本体１Ｂとを、横並びに配置した例を示している。
これら各家具本体１Ａ，１Ｂ，１Ｃのキャビネット１０Ａ，１０Ｂ，１０Ｃのいずれもが、側面視が矩形状、つまり、各キャビネットを構成する側板１１が単一矩形板とされている。
【００１９】
流し台部２の家具本体１Ａのシンク下キャビネット１０Ａは、図２に示すように、左右に配された側板１１，１１（図２では、一枚のみを図示している。）と、底板１２と、背板１３とを備えている。また、その上部は、カウンター３０が載置されて閉塞されて、前方に開口する箱状とされており、その内方空間が収納空間１４とされている。
収納空間１４の上側領域には、シンク２ａが収容されており、その下側領域には、中段引出２０及び下段引出２３が前後方向に出し入れ自在に収容されている。
これら中段引出２０及び下段引出２３は、シンク下キャビネット１０Ａの両側板１１，１１の対向面のそれぞれに設けられたレール部材１５，１５によってスライド自在に支持されている。
【００２０】
シンク下キャビネット１０Ａの前面収納開口は、シンク２ａの前方に配された化粧前板８、中段引出２０の扉体（中段扉体）２１、及び下段引出２３の扉体（下段扉体）２４によって覆われている。
上段部５の前面となる化粧前板８の前面８ａは、その下段側の中段部６及び下段部７の前面となる各扉体２１，２４の前面２１ａ，２４ａよりも前方に位置し、かつ、カウンター３０の前垂れ部３１の前面３１ａと前後位置を概ね一致させている。
図例では、化粧前板８の後面に裏板を介在させ、これら化粧前板８、裏板、中段扉体２１及び下段扉体２４の厚さ寸法を略同寸法とし、これら各扉体２１，２４の前面２１ａ，２４ａを、化粧前板８の前面８ａから扉体の厚さ寸法、後方位置に配設している。
なお、図例では、化粧前板８の前面８ａを、前垂れ部３１の前面３１ａよりも前垂れ部３１の厚さ寸法、後方位置に配設しているが、化粧前板８の前面８ａを前垂れ部３１の前面３１ａと略同一平面となるように位置させるようにしてもよい。
【００２１】
化粧前板８の上端部には、前方に開口する断面略コ字状とされた掘り込み状の把手９が設けられており、この把手９の手掛部９ａは、カウンター３０の前垂れ部３１の前面３１ａと前後位置を概ね一致させた位置に設けられている。また、この把手９の前端９ｂは、当該化粧前板８の前面８ａと前後位置を概ね一致させている。
【００２２】
化粧前板８の直下に配された中段扉体２１の上端部には、掘り込み状の把手２２が設けられており、この把手２２の手掛部２２ａ及び前端２２ｂは、化粧前板８の前面８ａと前後位置を概ね一致させた位置となるように設けられている。つまり、この把手２２は、化粧前板８の前面８ａよりも扉体の厚さ寸法、後方位置とされた中段扉体２１の前面２１ａから、扉体の厚さ寸法に概ね相当する寸法を突出させるようにして設けられている。
この中段扉体２１を備えた中段引出２０は、中段扉体２１、底板２０ａ、両側板２０ｂ（図２では、一枚のみを図示している。）、及び背板２０ｃによって上方に開口する箱状とされ、物品の収納が可能とされている。
【００２３】
中段扉体２１の直下に配された下段扉体２４の上端部には、化粧前板８の把手９と同様の掘り込み状の把手２５が設けられており、この把手２５の手掛部２５ａ及び前端２５ｂは、中段扉体２１の前面２１ａと前後位置を概ね一致させた位置となるように設けられている。また、この把手２５の前端２５ｂは、当該下段扉体２４の前面２４ａと前後位置を概ね一致させている。
この下段扉体２４を備えた下段引出２３は、下段扉体２４、底板２３ａ、両側板２３ｂ（図２では、一枚のみを図示している。）、及び背板２３ｃによって上方に開口する箱状とされ、物品の収納が可能とされている。
【００２４】
作業台部４の家具本体１Ｃの作業台下キャビネット１０Ｃは、シンク下キャビネット１０Ａと概ね同様の構成であり、図１に示すように、化粧前板８に替えて、上段引出１７の扉体（上段扉体）１８と、上記同様の中段扉体２１及び下段扉体２４とによって、その前面収納開口が覆われている。
上段扉体１８の上端部には、図２に示すように、化粧前板８の上端部に設けられた把手９と略同様の把手１９が設けられている。この上段扉体１８を備えた上段引出１７は、上記各引出と同様、上方に開口する箱状とされ、物品の収納が可能とされている。
なお、作業台部４の他の構成については、流し台部２と概ね同様の構成であるので、同一符号を付して、その説明を省略する。
【００２５】
コンロ付調理台部３の家具本体１Ｂのコンロ下キャビネット１０Ｂは、シンク下キャビネット１０Ａと概ね同様の構成であり、図１及び図３に示すように、収納空間１４の上側領域に、加熱機器としてのコンロ３ａの機器本体３ｂを収容している。また、この上側領域の前面開口は、機器本体３ｂの前面に設けられた機器操作部３ｃ及びグリル部３ｄの前扉と、その両側に配された化粧前板８，８とによって覆われている。機器操作部３ｃは、下端部を回動支点として手前側に回動させることで、表示操作部が露出し、後方側に回動させることで、閉状態とされ、その前面が、上段部５の他の前面と略同一平面となるよう構成されている。
また、コンロ付調理台部３の他の構成については、流し台部２と概ね同様の構成であるので、同一符号を付して、その説明を省略する。
また、当該コンロ下キャビネット１０Ｂ及び上記したシンク下キャビネット１０Ａの前面収納開口の上側領域を化粧前板８によって図例のように閉塞する態様に代えて、当該部位を、小引出や小収納空間としてもよい。
【００２６】
上記構成とされた流し台部２、作業台部４及びコンロ付調理台部３を備えた調理台家具Ａは、図１に示すように、上段部５に配された化粧前板８、上段扉体１８、グリル部３ｄの前扉、及び閉状態の機器操作部３ｃの前面が、略同高さ位置で、整列するように配置される。また、中段部６及び下段部７のそれぞれに配された中段扉体２１及び下段扉体２４も同様、各段において、略同高さ位置で、整列するように配置される。
また、これら化粧前板８及び各扉体１８，２１，２４のそれぞれに設けられた各把手９，１９，２２，２５も同様、各段において、略同高さ位置で、整列するように配置される。
【００２７】
また、調理台家具Ａは、図２〜図４に示すように、当該調理台家具Ａの下端部前方に、当該調理台家具Ａに向かって作業する作業者の足先の逃げ部としての蹴込み空間２９を形成している。
この蹴込み空間２９は、カウンター３０の前垂れ部３１を、下段扉体２４の前面２４ａよりも前方に突出させるとともに、下段扉体２４の下端部に、下方に向かうに従って後退する断面形状とされた後退部２６を設けることによって形成されている。
具体的には、後退部２６の前面と、この前面に連なるように位置する当該調理台家具Ａの下端部前面（図例では、側板１１及び底板１２の前端面）１６と、この下端部前面１６から、下段扉体２４の厚さ寸法及び下段扉体２４の前面２４ａからのカウンター３０の突出寸法に相当する奥行寸法Ｌまでの床面と、この床面に交差し、カウンター３０の前垂れ部３１の前面３１と同一平面となる鉛直面と、この鉛直面に交差し、床面から後退部２６の後退始点（下段扉体２４の平板部位の前面２４ａからの後退開始点）までの高さ寸法Ｈの水平面とによって区画された空間が蹴込み空間２９となる。
【００２８】
この蹴込み空間２９は、図２に示すように、当該調理台家具Ａに向かって作業する作業者が、腰付近をカウンター３０の前垂れ部３１に寄せて作業する状態において、その作業者の足先が納まる程度の空間であればよい。つまり、作業者の足の大小や、スリッパ等の履物の着用有無、作業時における足の上げ下げなどを考慮して、作業者の足先が後退部２６の前面及び下端部前面１６に当接しないよう、後退部２６の前面形状、上記奥行寸法Ｌ及び高さ寸法Ｈを人間工学的に設定するようにすればよい。
【００２９】
例えば、カウンター３０の前垂れ部３１の前面３１ａから、当該調理台家具Ａの下端部前面１６までの奥行寸法Ｌを、成人の足先長さ程度とし、床面から、後退部２６の後退始点となる上端前縁までの高さ寸法Ｈを、成人の足先から甲にかけての厚さとすればよい。
奥行寸法Ｌとしては、作業者の大腿もしくは腰前面から足先までの寸法として、５０ｍｍ前後、好ましくは、５０ｍｍ〜７０ｍｍ程度としてもよい。この場合、下段扉体２４の前面２４ａから前方に突出させるカウンター３０の前垂れ部３１の突出寸法としては、下段扉体２４の厚さ寸法に応じて、適宜、設定可能であるが、例えば、下段扉体２４の厚さ寸法が２０ｍｍ〜３０ｍｍ程度であれば、奥行寸法Ｌが５０ｍｍ〜７０ｍｍ程度となるように、カウンター３０の前垂れ部３１を、下段扉体２４の前面２４ａよりも２０ｍｍ〜４０ｍｍ程度、前方に突出させるようにしてもよい。
また、高さ寸法Ｈとしては、５０ｍｍ〜１００ｍｍ程度としてもよい。
【００３０】
本実施形態では、図１に示すように、後退部２６は、調理台家具Ａの各家具本体１Ａ，１Ｂ，１Ｃの各下段扉体２４の下端部、つまり、前面収納開口を覆う扉体の床面直上に位置する端部に設けられており、各下段扉体２４の左右方向の全長に亘って設けられている。
この後退部２６は、図４に示すように、その前面が、下段扉体２４の平板部位の前面２４ａから、当該調理台家具Ａの下端部前面１６側に向けて傾斜する傾斜面とされている。この傾斜面の上端前縁から床面までの高さが上記高さ寸法Ｈとされている。
図例では、後退部２６は、下段扉体２４を構成する化粧板の下端部に固着されており、断面略逆直角三角形の先端を切除したような形状の上側部２７と、この上側部２７に連なるように設けられた下側部２８とによって、断面略逆直角三角形状とされている。
また、この後退部２６の下端は、床面上に敷物等が敷かれる場合があるため、敷物等との接触を防止すべく、床面から１０ｍｍ〜３０ｍｍ程度の高さに位置している。
【００３１】
上側部２７は、アルミニウム等の金属系材料や木質系材料で形成されており、この上側部２７の下端面には、下方に向けて開口する係合凹溝２７ａが設けられている。
下側部２８は、弾性材料で形成されており、この下側部２８の上端面には、上方に向けて突出し、上側部２７の係合凹溝２７ａに嵌め入れられる係合突条２８ａが設けられている。この下側部２８は、係合突条２８ａを上側部２７の係合凹溝２７ａに嵌め入れることで、上側部２７に対して固定されている。
また、下側部２８の後面側には、下段扉体２４が閉止された状態で、調理台家具Ａの下端部前面１６を構成する側板１１の下端部及び底板１２の前端面に、当接乃至は弾接して、前面収納開口の下端部領域を封止するパッキン２８ｂが設けられている。
【００３２】
下側部２８の形成に用いられる上記弾性材料としては、天然ゴムや合成ゴム、合成樹脂エラストマーなどのエラストマー系材料、またはウレタンフォームなどの発泡系材料など、当該下側部２８に足先等が衝突した際における衝撃を低減し得るものであればよい。
このように、後退部２６の少なくとも下端部を、弾性材料で形成することで、足先や掃除器具等が下段扉体２４の後退部２６に衝突した際に衝撃を低減することができる。
なお、図４では、シンク下キャビネット１０Ａの前面に設けられた下段扉体２４の後退部２６を示しているが、作業台下キャビネット１０Ｃ及びコンロ下キャビネット１０Ｂの各前面に設けられた下段扉体２４の後退部２６についても同様の構成である。
【００３３】
以上のように、本実施形態に係る調理台家具Ａでは、当該調理台家具Ａに向かって作業する作業者は、足先を蹴込み空間２９に納め、腰付近をカウンター３０の前垂れ部３１に寄せて作業することができる。
また、従来の側板の前方下端の切欠加工により形成された蹴込み空間に替えて、下段扉体２４の後退部２６によって蹴込み空間２９の一部を構成し、各キャビネット１０Ａ，１０Ｂ，１０Ｃの側面つまり側板１１の前方下端に切欠加工を設けることなく、矩形状としている。従って、側板１１の加工を簡素化し、加工コストを低減することができる。
【００３４】
さらに、本実施形態では、当該調理台家具Ａの上段部５の前面となる化粧前板８及び上段扉体１８などの各前面８ａ，１８ａを、その下段側の中段扉体２１及び下段扉体２４の各前面２１ａ，２４ａよりも前方に位置させ、かつ、カウンター３０の前垂れ部３１と前後位置を概ね一致させている。従って、カウンター３０の前垂れ部３１を前方に突出させることで蹴込み空間２９の一部を確保しつつも、上段部５に設けられた機器操作部３ｃやグリル部３ｄなどのビルトイン機器、及び上段扉体１８の操作性ならびに外観性を向上させることができる。
さらにまた、上段部５の前面を、その下段側の中段扉体２１及び下段扉体２４の各前面２１ａ，２４ａよりも前方に位置させ、カウンター３０の前端側に寄せているので、下段側の各前面２１ａ，２４ａの前方に空間が形成される。従って、この空間に作業者の大腿部や膝付近等を納めることができ、該空間を膝元空間として利用できる。
【００３５】
また、本実施形態では、中段扉体２１の上端部に、その直上となる上段部５の前面と前後位置を概ね一致させた手掛部２２ａを有した把手２２を設けている。従って、上記のように上段部５のビルトイン機器や上段扉体１８の操作性を向上させつつも、その直下の中段扉体２１の操作性を向上させることができ、また機器底面の前部を把手２２によって隠蔽することができる。
さらに、この中段扉体２１の把手２２は、その前端２２ｂと、上段部５の前面との前後位置を概ね一致させ、中段扉体２１の上端部に左右方向の全長に亘って設けられた掘り込み形状とされている。従って、上記のように、上段部５の前面を、中段扉体２１の前面２１ａよりも前方に位置させ、これらの間に段差が形成されている場合にも、当該把手２２によって、該段差の違和感を低減させることができる。
【００３６】
さらにまた、本実施形態では、前面収納開口を覆う化粧前板８及び各扉体１８，２１，２４の把手９，１９，２２，２５の前端９ｂ，１９ｂ，２２ｂ，２５ｂを、カウンター３０の前垂れ部３１よりも後方に位置させている。従って、カウンター３０に向かって作業をする際に、これら把手が邪魔にならない。
また、下段扉体２４の把手２５は、その前端２５ｂが、上段部５の前面よりも後方位置とされた中段扉体２１及び下段扉体２４の各前面２１ａ，２４ａと前後位置を概ね一致させた位置となるように設けられている。従って、下段側の中段扉体２１及び下段扉体２４の各前面２１ａ，２４ａの前方に形成された上記膝元空間の利用が阻害されることがない。
【００３７】
次に、本発明に係る他の実施の形態について、図面を参照しながら説明する。
図５は、第２実施形態に係る調理台家具を模式的に示し、図２に対応させた図である。
なお、第１実施形態との相違点について主に説明し、同様の構成については、同一符号を付し、その説明を省略または簡略に説明する。
【００３８】
本実施形態に係る調理台家具Ｂでは、流し台部２の家具本体１Ａのシンク下キャビネット１０Ａの前面収納開口を覆う化粧前板８Ａ及び中段扉体２１Ａの構成が、第１実施形態に係る調理台家具Ａとは主に異なる。
本実施形態では、化粧前板８Ａ、中段扉体２１Ａ及び下段扉体２４の各前面８Ａａ，２１ａ，２４ａを、前後位置を概ね一致させて配置している。つまり、上記第１実施形態のように、上段部５の前面を、その下段側の前面よりも前方に位置させておらず、各段部５，６，７における前面の前後位置を概ね一致させている。
【００３９】
化粧前板８Ａは、その上端部に、手掛部９Ａａ及び前端９Ａｂをカウンター３０の前垂れ部３１の前面３１ａと前後位置を概ね一致させた掘り込み状の把手９Ａを備えている。つまり、化粧前板８Ａの前面８Ａａよりも上記所定寸法、突出させたカウンター３０の前垂れ部３１の突出分に対応させて、その突出分に概ね相当するように、手掛部９Ａａを化粧前板８Ａの前面８Ａａから突出させている。
中段扉体２１Ａの把手２２Ａは、その手掛部２２Ａａ及び前端２２Ａｂと、当該中段扉体２１Ａの前面２１ａとの前後位置が概ね一致するように設けられている。
【００４０】
また、図５では、流し台部２のみを図示しているが、参照符号に示すように、作業台部４及びコンロ付調理台部３（図１も参照）の各家具本体１Ｂ，１Ｃの前面も、流し台部２の家具本体１Ａの前面と略同様の構成とされている。つまり、作業台部４の上段引出１７（図１参照）の上段扉体１８Ａの前面１８Ａａと、その下段側の各扉体２１Ａ，２４の各前面２１ａ，２４ａとの前後位置を概ね一致させている。また、この上段扉体１８Ａの上端部の把手１９Ａは、その手掛部１９Ａａ及び前端１９Ａｂを、カウンター３０の前垂れ部３１と前後位置を概ね一致させた掘り込み状とされている。
【００４１】
このように、本実施形態では、各家具本体１Ａ，１Ｂ，１Ｃの各段部５，６，７における前面の前後位置を概ね一致させ、上段部５における扉体などの把手を、その手掛部及び前端と、カウンター３０の前垂れ部３１の前面３１ａとの前後位置を概ね一致させた掘り込み状のものとしている。
上記構成とされた調理台家具Ｂでは、カウンター３０の前垂れ部３１を突出させて、蹴込み空間２９を確保しつつも、最上段部における扉体などの操作性を向上させることができる。
【００４２】
なお、上記各実施形態では、調理台家具として、複数の家具本体の上部に一枚のカウンターを載置して、流し台部、作業台部、及びコンロ付調理台部を備えた厨房装置を例示しているが、これらのうち、いずれか一つ以上の台部を備えたものとしてもよい。つまり、本発明に係る調理台家具としては、流し台、作業台、及びコンロ付調理台としてもよく、または、これらのうちの二種以上を組み合わせたものとしてもよい。
また、上記各実施形態では、調理台家具の前面を、上段部、中段部及び下段部の３段に区画した例を示しているが、１段のみのもの、または２段以上に区画したものとしてもよい。
さらに、上記各実施形態では、各台部を構成する各キャビネットを単一のキャビネットで構成した例を示しているが、側面視が矩形状とされた複数のキャビネットを上下に重ね合わせて設置してもよい。本発明に係る調理台家具では、側面視が矩形状のキャビネットのみで構成でき、従来よりも製造または製品選択性の観点からも共用性が高く好適である。
【００４３】
さらにまた、上記各実施形態では、各キャビネットの前面収納開口を開閉自在に覆う扉体として、引出の扉体を例示しているが、ヒンジ等でキャビネットの側板に対して開閉自在に連結された開き戸を、前面収納開口を覆う扉体としてもよい。
または、引き違い戸を扉体としてもよい。このような引き違い戸によって扉体を構成した場合は、上記のように突出させたカウンター前端部の下方空間を利用して、吊レール等を設けることができる。また、開放させた場合にも、扉体がカウンターの前端から突出せず、作業性が良い。また、このような引き違い戸としては、閉止させた際に、隣接する戸の前面同士が、略フラット面となるようなものとしてもよい。
【００４４】
また、第１実施形態では、最上段部（上段部）前面と突出させたカウンターの前端との前後位置を、第２実施形態では、最上段部の把手等の手掛部と突出させたカウンターの前端との前後位置を、それぞれ概ね一致させた位置としているが、このような態様に限られない。例えば、上記のように扉体の前面よりも前方に突出させたカウンターの前端部の下面側に、懸垂収納具を設けるようにしてもよい。これによれば、タオル等の懸垂収納物が、カウンターの前端から突出せず、邪魔にならない。
【００４５】
また、上記各実施形態では、前面が下方に向かうに従って後方に傾斜する傾斜面とされた形状の後退部を例示しているが、このような態様に限られない。例えば、前面が凹湾曲面や凸湾曲面等の湾曲面とされた後退部としてもよく、断面形状が階段状の形状とされた後退部としてもよい。または、これらの形状を組み合わせた形状の後退部としてもよい。
さらに、上記各実施形態では、上側部と下側部とが別材料から形成された後退部を例示しているが、当該後退部が同一材料で一体的に形成されたものとしてもよい。この場合は、後退部の全体を弾性材料で形成したものとしてもよい。
または、上記各実施形態では、下段扉体を構成する化粧板の下端部に、別部材とされた後退部を固着させた例を示しているが、後退部を化粧板の下端部に一体的に形成するような態様としてもよい。
【００４６】
また、本発明に係る調理台家具は、調理作業を含め、その他の家事作業の際に用いられる家事作業台家具としても適用可能である。
【符号の説明】
【００４７】
８ａ          化粧前板の前面（最上段部の前面）
１０Ａ        シンク下キャビネット（キャビネット）
１０Ｂ        コンロ下キャビネット（キャビネット）
１０Ｃ        作業台下キャビネット（キャビネット）
１８          上段扉体
１８ａ        上段扉体の前面（最上段部の前面）
１９          上段扉体の把手
１９ｂ        上段扉体の把手の前端
２１          中段扉体
２１ａ        中段扉体の前面（下段部の前面）
２２          中段扉体の把手
２２ａ        中段扉体の把手の手掛部
２２ｂ        中段扉体の把手の前端
２４          下段扉体
２４ａ        下段扉体の前面（下段部の前面）
２５          下段扉体の把手
２５ｂ        下段扉体の把手の前端
２６          後退部
２８          後退部の下側部（後退部の下端部）
２９          蹴込み空間
３０          カウンター
３１          前垂れ部（カウンターの前端）
Ａ，Ｂ        調理台家具
【図１】
2011147625.tif 000003
【図２】
2011147625.tif 000004
【図３】
2011147625.tif 000005
【図４】
2011147625.tif 000006
【図５】
2011147625.tif 000007